(57)【要約】【課題】  オプション機能を追加しても、追加電源や予め大容量の電源を用意しておかなくてもよく、電源定格上限でもオプション機能を追加することが可能な画像形成装置を実現する。【解決手段】  オプション機能を動作させるときは、補助電源を使用し、補助電源の電源容量が少なくなったら充電するとともにオプション機能を使ったジョブを一時中断する。【選択図】  図１１
2007025255.tif 000002
【特許請求の範囲】
【請求項１】
特定の機能を使用する場合のみ補助電源を使用する画像形成装置において、補助電源からの電力が不足した場合は、補助電源の必要な電力が供給されるまで特定の機能を使用しないことを特徴とする画像形成装置。
【請求項２】
前記補助電源の必要な電力が供給されるまでの間は、特定の機能を使用しない画像形成を優先して行うことを特徴とする請求項１に記載の画像形成装置。
【請求項３】
前記補助電源はコンデンサであることを特徴とする請求項１に記載の画像形成装置。
【請求項４】
前記補助電源は、前記画像形成装置の記録媒体上に画像を定着させる定着手段に含まれる加熱手段に用いることを特徴とする請求項１に記載の画像形成装置。
【請求項５】
前記補助電源は、前記加熱手段に用いていないときのみ、前記特定の機能を使用することを特徴とする請求項３に記載の画像形成装置。
【請求項６】
前記特定の機能は複数の機能を同時に処理することを特徴とする請求項１に記載の画像形成装置。
【発明の詳細な説明】
【技術分野】
【０００１】
本発明は、コピー、プリント、ＦＡＸ等の機能を持つＭＦＰ（Ｍｕｌｔｉ  Ｆｕｎｃｔｉｏｎ  ｐｅｒｉｐｈｅｒａｌ：マルチファンクション周辺機器）等の画像形成装置に関するものである。
【背景技術】
【０００２】
近年、コピーやネットワークプリント、ＦＡＸ、e-mail送信等の複数の機能を実現することが可能なＭＦＰ（Ｍｕｌｔｉ  Ｆｕｎｃｔｉｏｎ  ｐｅｒｉｐｈｅｒａｌ：マルチファンクション周辺機器）が提供されている。これらの装置では、画像処理機能や編集機能等の様々な機能を持っており、複雑な処理を同時に行うことも可能である。また、単一機能を持つプリンタ（ＳＦＰ：Ｓｉｎｇｌｅ  Ｆｕｎｃｔｉｏｎ  ｐｅｒｉｐｈｅｒａｌ）にオプションボード、オプション装置等を追加することにより、後からＭＦＰとしての機能を追加することも可能である。
【０００３】
一方、これらの装置で画像形成を行う手法として、電子写真方式が広く採用されている。電子写真方式の画像形成装置では、紙などの記録媒体上にトナー像を形成し、熱と圧力で定着を行い、特に高速機においてはヒートローラを用いた方式が多く採用されている。ヒートローラを用いた画像形成装置では、ハロゲンヒータ等の発熱部材による加熱時間が数分から十数分かかるため、立ち上げ時間を短縮するために補助電源を用いる手法が採用されている。
【０００４】
又、従来例としては、例えば特許文献１をあげることが出来る。
【特許文献１】特開平１０−１２４１９５号公報
【発明の開示】
【発明が解決しようとする課題】
【０００５】
しかしながら、オプションの機能を追加する場合、必要とする電源の容量が増えるため、予めオプションの電源容量を考慮して、容量の大きな本体電源を作っておく必要がある。このため、オプション機能を使用しない場合にコストアップになってしまうことがある。
【０００６】
また、本体電源の容量を必要最小限の標準機能分だけ確保した場合は、オプション機能を追加する場合に、別途オプション電源も追加する必要がある。
【０００７】
さらに、例えば日本国内の一般的な商用電源の定格は、１００Ｖ１５Ａの１５００Ｗが上限であり、オプション機能を追加して１５００Ｗを超える場合は、電源電圧を２００Ｖに対応させることも可能であるが、特別な工事を施す必要があり一般的な解決方法とはいえない。
【課題を解決するための手段】
【０００８】
上記目的を達成するために、本発明の画像形成装置では特定のオプション機能を使用する場合は、補助電源を利用することにより、オプション電源を追加することなく、かつ定格電源を越えない範囲でオプション機能を使用することが可能となるような画像形成装置を提供することを特徴とする。特に、ヒートローラの加熱時間を短縮するために補助電源を用いている画像形成装置においては、補助電源を必要としないときのみオプション電源として使用することによりコストアップすることなく、オプション機能を使用することを可能とする。
【発明の効果】
【０００９】
以上詳細に説明したように本発明によれば、特定のオプション機能を使用する場合は、補助電源を利用することにより、オプション電源を追加することなく、かつ定格電源を越えない範囲でオプション機能を使用することが可能となる。特に、ヒートローラの加熱時間を短縮するために補助電源を用いている画像形成装置においては、補助電源を必要としないときのみオプション電源として使用することによりコストアップすることなく、オプション機能を使用することが可能となる。
【発明を実施するための最良の形態】
【００１０】
以下、本発明の実施の形態を図面に基づいて説明する。
【００１１】
［第一実施形態］
＜画像形成装置の全体構成＞
図１は、本発明の第一実施形態に係る画像形成装置の全体構成を示すブロック図である。
【００１２】
この画像形成装置は、複写機等で構成される画像入出力装置１００と、この画像入出力装置１００とネットワーク４００を介して接続されたホストコンピュータ（ＰＣ）４０１，４０２と、同様にネットワーク４００上に接続されたデータベースサーバ４１０とで構成されている。
【００１３】
この画像入出力装置１００は、リーダー部２００とスキャナユニット２１０とプリンタ部３００で構成されている。
【００１４】
リーダー部２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット２５０とで構成される。
【００１５】
プリンタ部３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。
【００１６】
コントローラ部１１０は、リーダー部２００、プリンタ部３００と電気的に接続され、さらにネットワーク４００を介して、ＰＣ４０１，４０２及びデータベースサーバ４１０と接続されている。
【００１７】
データベースサーバ４１０では、画像入出力装置１００により読み込んだ２値画像及び多値画像をデータベースとして管理する。また、ＰＣ４０１等により属性情報を付加されたファイルもデータベースとして管理する。
【００１８】
コントローラ部１１０は、リーダー部２００を制御して、原稿の画像データを読み込み、プリンタ部３００を制御して画像データを記録用紙に出力してコピー機能を提供する。また、リーダー部２００から読み取った画像データを、コードデータに変換し、ネットワーク４００を介してＰＣ４０１，４０２へ送信するスキャナ機能や、ＰＣ４０１又は４０２からネットワーク４００を介して受信したコードデータを画像データに変換し、プリンタ部３００に出力するプリンタ機能を提供する。
【００１９】
操作部１８０は、コントローラ部１１０に接続され、液晶タッチパネルで構成され、画像入出力装置１００を操作するためのユーザＩ／Ｆを提供する。
【００２０】
＜リーダー部２００及びプリンタ部３００のハード構成＞
図２は、リーダー部２００及びプリンタ部３００のハード構成を示す概観図である。
【００２１】
リーダー部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。
【００２２】
２２２はリーダー画像処理回路部であり、ＣＣＤ２１８から出力される画像データに所定の処理を施し、スキャナＩ／Ｆ１４０を介してコントローラ部１１０へと出力するところである。
【００２３】
３５２はプリンタ画像処理回路部であり、プリンタＩ／Ｆ１４５を介してコントローラ部１１０から送られる画像データをレーザドライバへと出力するところである。
【００２４】
プリンタ部３００のレーザドライバ３１７はレーザ発光部３１３、３１４、３１５、３１６を駆動するものであり、プリンタ画像処理部３５２から出力された画像データに応じたレーザ光をレーザ発光部３１３〜３１６を発光させる。このレーザ光はミラー３４０〜３５１によって感光ドラム３２５〜３２８に照射され、感光ドラム３２５〜３２８にはレーザ光に応じた潜像が形成される。３２１〜３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００２５】
用紙カセット３６０、３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出される、オプションのフィニッシャ３７０は排出された記録紙を束ねて記録紙の仕分けをしたり、仕分けされた記録紙のステイプルを行う。
【００２６】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２７】
＜リーダー画像処理部の構成＞
図３は、リーダー画像処理部２２２の詳細な構成を示すブロック図である。
【００２８】
このリーダー画像処理部２２２では、プラテンガラス２１１上の原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤ毎に並べたものでも構わないし、フィルタがオンチップ化又はフィルタがＣＣＤと別構成になったものでも構わない）。
【００２９】
そして、その電気信号（アナログ画像データ）は画像処理部２２２に入力され、クランプ＆Ａｍｐ．＆Ｓ／Ｈ＆Ａ／Ｄ部４０１でサンプルホールド（Ｓ／Ｈ）され、アナログ画像データのダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号はシェーディング部４０２で、シェーディング補正及び黒補正が施された後、コントローラ部１１０へと出力される。
【００３０】
＜コントローラ部の構成＞
図４は、コントローラ部１１０の構成を示すブロック図である。
【００３１】
メインコントローラ１１１は、主にＣＰＵ１１２と、バスコントローラ１１３、各種Ｉ／Ｆコントローラ回路とから構成される。ＣＰＵ１１２とバスコントローラ１１３はコントローラ部１１０全体の動作を制御するものであり、ＣＰＵ１１２はＲＯＭ１２０からＲＯＭ・Ｉ／Ｆ１２１を経由して読み込んだプログラムに基づいて動作する。
【００３２】
また、ＰＣから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００３３】
ＤＲＡＭ１２２は、ＤＲＡＭ・Ｉ／Ｆ１２３によってメインコントローラ１１１と接続されており、ＣＰＵ１１２が動作するためのワークエリアや、画像データを蓄積するためのエリアとして使用される。
【００３４】
調歩同期シリアル通信コントローラ１１４はリーダー部２００、プリンタ部３００の各ＣＰＵとシリアルバス１７２，１７３を介して制御コマンドを送受信し、操作部１８０のタッチパネルやキー入力の通信を行う。
【００３５】
ネットワーク・コントローラ１２５は、Ｉ／Ｆ１２７によってメインコントローラ１１１と接続され、コネクタ１２６によって外部ネットワークと接続される。シリアルコネクタ１２４はメインコントローラ１１１と接続されて、外部機器との通信を行う。シリアルバスとしては一般的にＵＳＢが挙げられる。ＦＡＮ１２８はメインコントローラ１１１に接続され、コントローラ部１１０を冷却するのに用いる。
【００３６】
温度監視ＩＣ１４２はシリアルバス１４３によってメインコントローラ１１１に接続されている。温度監視ＩＣ１４２はＦＡＮ１２８の制御や、リアルタイムクロックモジュール１３７の温度補正等に用いられる。
【００３７】
汎用高速バス１３０には、拡張ボードを接続するための拡張コネクタ１３５とＩ／Ｏ制御部１２６，ＨＤコントローラ１３１，コーデック１３３とが接続される。汎用高速バスとしては、一般的にＰＣＩバスが挙げられる。
【００３８】
コーデック１３３は、ＤＲＡＭ１２２に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１３４はコーデック１３３の一時的なワーク領域として使用される。ＤＲＡＭ１２２との間のデータの転送は、バスコントローラ１１３によって制御されＤＭＡ転送される。
【００３９】
ＨＤコントローラ１３１は、外部記憶装置を接続するためのものである。本実施形態においては、このＩ／Ｆを介してハードディスクドライブ１３２を接続している。ハードディスク１３２はプログラムを格納したり、画像データを記憶するのに用いている。
【００４０】
Ｉ／Ｏ制御部１２６は、データバス１４４の制御を行い、ポート１４５や割り込み１４６の制御を行う。パネルＩ／Ｆ１４１は、ＬＣＤコントローラ１４０に接続され、操作部１８０上の液晶画面に表示を行うためのＩ／Ｆと、ハードキーやタッチパネルキーの入力を行うためのキー入力Ｉ／Ｆ１７１とから構成される。
【００４１】
操作部１８０は、液晶表示部と液晶表示部上に張り付けられたタッチパネル入力装置と、複数個のハードキーを有する。タッチパネル又はハードキーにより入力された信号は前述したパネルＩ／Ｆ１７１を介してＣＰＵ１１２に伝えられ、液晶表示部は、パネルＩ／Ｆ１４１から送られてきた画像データを表示するものである。液晶表示部には、本画像形成装置の操作における機能表示や画像データ等を表示する。
【００４２】
リアルタイムクロックモジュール１３７は、機器内で管理する日付と時刻を更新／保存するためのもので、バックアップ電池１３８によってバックアップされている。ＳＲＡＭ１３９はバックアップ電池１３８でバックアップされ、ユーザモードや各種設定情報や、ハードディスクドライブ１３２のファイル管理情報等を蓄積している。
【００４３】
グラフィック・プロセッサ１５１は、ＤＲＡＭ１２２に蓄積された画像データに対して、画像回転、画像変倍、色空間変換、二値化、スキャナ画像入力、及びプリンタ画像出力の処理を行う。ＤＲＡＭ１５２はグラフィック・プロセッサ１５１の一時的なワーク領域として使用される。グラフィック・プロセッサ１５１はＩ／Ｆ１５０を介してメインコントローラ１１１と接続され、ＤＲＡＭ１２２との間のデータの転送は、バスコントローラ１１３によって制御されＤＭＡ転送される。
【００４４】
コネクタ１６０と１５５は、それぞれリーダー部２００とプリンタ部３００とに接続され、同調歩同期シリアルＩ／Ｆ（１７３，１７２）とビデオＩ／Ｆ（１６３，１６２）とから構成される。
【００４５】
スキャナ画像処理部１５７は、コネクタ１６０を介してリーダー部２００と接続され、また、スキャナバス１６１によってグラフィック・プロセッサ１５１と接続されており、リーダー部２００から受け取った画像に対して所定の処理を施す機能を有し、さらに、リーダー部２００から送られたビデオ制御信号をもとに生成した制御信号を、スキャナバス１６１に出力する機能も有する。
【００４６】
ＦＩＦＯ１５８はスキャナ画像処理部１５７と接続され、リーダー部２００から送られてくるビデオ信号のライン補正を行うのに用いられる。プリンタ画像処理部１５３は、コネクタ１５５を介してプリンタ部３００と接続され、また、プリンタバス１５６によってグラフィック・プロセッサ１５１と接続されており、グラフィック・プロセッサ１５１から出力された画像データに所定の処理を施して、プリンタ部３００へ出力する機能を有し、さらに、プリンタ部３００から送られたビデオ制御信号をもとに生成した制御信号を、プリンタバス１６２に出力する機能も有する。
【００４７】
ＤＲＡＭ１５４はプリンタ画像処理部１５３に接続され、ビデオ信号を一定時間遅延させるのに用いられる。ＤＲＡＭ１２２上に展開されたラスターイメージデータのプリンタ部３００への転送は、バスコントローラ１１３によって制御され、グラフィック・プロセッサ１５１、プリンタ画像処理部１５３、コネクタ１５５を経由して、プリンタ部３００へＤＭＡ転送される。
【００４８】
＜スキャナ画像処理部の構成＞
図５は、スキャナ画像処理部１５７を担う部分の詳細な構成を示すブロック図である。
【００４９】
リーダー部２００からコネクタ１６０を介して送られる画像データに対して、つなぎ＆ＭＴＦ補正部６０１で読取速度に応じてライン毎の遅延量を調整し、読取速度によって変化したＭＴＦを補正する。ＣＣＤ２１８が３ラインＣＣＤの場合、つなぎ処理は３ラインの読取位置が同じになるように信号タイミングを補正する。ＦＩＦＯ１５８はライン遅延のバッファとして用いる。
【００５０】
読取位置タイミングが補正されたデジタル信号は入力マスキング部６０２によって、ＣＣＤ２１８の分光特性及びランプ２１２及びミラー２１４、２１５、２１６の分光特性を補正する。入力マスキング部６０２の出力はＡＣＳカウント部４０５及びグラフィック・プロセッサ１５１へと送られる。
【００５１】
＜プリンタ画像処理部の構成＞
図６は、プリンタ画像処理部１５３の詳細な構成を示すブロック図である。
【００５２】
グラフィック・プロセッサ１５１から、プリンタバス１５６を介して送られる画像データは、まずＬＯＧ変換部７０１に入力される。ＬＯＧ変換部７０１では、ＬＯＧ変換でＲＧＢ信号からＣＭＹ信号に変換する。
【００５３】
次にモアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタ部３００の出力にあった信号に補正される。ＵＣＲ＆マスキング部７０３で処理された信号は補正部７０４で濃度調整された後フィルタ部７０５でスムージング又はエッジ処理される。
【００５４】
出力切り替え７０６で、感光ドラム３２５〜３２８のドラム間の距離を補正するためにＤＲＡＭ１５４にＣＭＹＫ画像毎に一旦画像を蓄積し、ドラム間の距離を補正した画像をコネクタ１５５を介してプリンタ部３００へと送る。
【００５５】
＜グラフィック・プロセッサの構成＞
図７は、グラフィック・プロセッサ１５１の詳細な構成を示すブロック図である。
【００５６】
グラフィック・プロセッサ１５１は、画像回転、画像変倍、色空間変換、二値化、スキャナ画像入力、及びプリンタ画像出力の処理をそれぞれ行うモジュールを有する。ＤＲＡＭ１５２はＤＲＡＭコントローラ８０８を介して各々のモジュールの一時的なワーク領域として使用される。
【００５７】
各々のモジュールが用いるＤＲＡＭ１５２のワーク領域が競合しないよう、予め各々のモジュール毎にワーク領域が静的に割り当てを行う。グラフィック・プロセッサ１５１はＩ／Ｆ１５０を介してメインコントローラ１１１と接続され、ＤＲＡＭ１２２との間のデータの転送は、バスコントローラ１１３によって制御されＤＭＡ転送される。
【００５８】
バスコントローラ１１３は、グラフィックプロセッサ１５１の各々のモジュールにモード等を設定する制御、及び各々のモジュールに画像データを転送するためのタイミング制御を行う。
【００５９】
入力インターフェース８１０は、Ｉ／Ｆ１５０から入力された画像データをクロスバースイッチ８０９に入力する。画像データ形式は２値ラスターイメージデータ、多値ラスターイメージデータ、ＪＰＥＧ等を扱い、ＪＰＥＧ画像の場合は入力インターフェース８１０にて伸張後にラスターイメージデータに変換してクロスバースイッチ８０９にデータ出力する。
【００６０】
出力インターフェース８１１はクロスバースイッチ８０９から入力された画像データをＩ／Ｆ１５０に出力する。クロスバースイッチ８０９から入力される画像データ形式はラスターイメージデータであるが、出力インターフェース８１１でＪＰＥＧ圧縮を行ってＩ／Ｆ１５０にデータ出力することも行う。
【００６１】
＜画像回転部の処理＞
次に、画像回転部８０１における処理手順を説明する。
【００６２】
Ｉ／Ｆ１５０を介して、ＣＰＵ１１２からバスコントローラ１１３に画像回転制御のための設定を行う。この設定によりバスコントローラ１１３は画像回転部８０１に対して画像回転に必要な設定（例えば画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。なお、ここでは回転を行う画像サイズを３２画素３２ラインとし、また、画像バス２００８上に画像データを転送させる際に２４ｂｙｔｅ（ＲＧＢ各々８ｂｉｔで１画素分）を単位とする画像転送を行うものとする。
【００６３】
上述のように、３２画素３２ラインの画像を得るためには、上述の単位データ転送を３２３２回行う必要があり、且つ不連続なアドレスから画像データを転送する必要がある。
【００６４】
不連続アドレッシングにより転送された画像データは、読み出し時に所望の角度に回転されているように、ＳＲＡＭ１３６に書き込まれる。例えば、９０度反時計方向回転であれば、転送される画像データをＹ方向に書き込んでいく。読み出し時にＸ方向に読み出すことで、画像が回転される。
【００６５】
３２画素３２ラインの画像回転（ＤＲＡＭ１５２への書き込み）が完了した後、画像回転部８０１はＤＲＡＭ１５２から上述した読み出し方法で画像データを読み出し、バスコントローラ１１３に画像を転送する。
【００６６】
回転処理された画像データを受け取ったバスコントローラ１１３は、連続アドレッシングを以て、ＤＲＡＭ１２２もしくはＩ／Ｆ上の各デバイスにデータを転送する。
【００６７】
こうした一連の処理は、ＣＰＵ１１２からの処理要求が無くなるまで（必要なページ数の処理が終わったとき）繰り返される。
【００６８】
＜画像変倍部の処理＞
次に、画像変倍部８０２における処理手順を説明する。
【００６９】
Ｉ／Ｆ１５０を介して、ＣＰＵ１１２からバスコントローラ１１３に画像変倍制御のための設定を行う。この設定によりバスコントローラ１１３は画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００７０】
画像変倍部８０２は、受け取った画像データを一時ＤＲＡＭ１５２に格納し、これを入力バッファとして用いて、格納したデータに対して主走査、副走査の変倍率に応じて必要な画素数、ライン数の分の補間処理を行って画像を拡大もしくは縮小することで、変倍処理とする。変倍後のデータは再度ＤＲＡＭ１５２へ書き戻し、これを出力バッファとして画像変倍部８０２はＤＲＡＭ１５２から画像データを読み出し、バスコントローラ１１３に転送する。
【００７１】
変倍処理された画像データを受け取ったバスコントローラ１１３は、ＤＲＡＭ１２２もしくはＩ／Ｆ上の各デバイスにデータを転送する。
【００７２】
＜色空間変換部の処理＞
次に、色空間変換部８０３における処理手順を説明する。
【００７３】
Ｉ／Ｆ１５０を介して、ＣＰＵ１１２からバスコントローラ１１３に色空間変換制御のための設定を行う。この設定によりバスコントローラ１１３は色空間変換部８０３及びＬＵＴ（ルック・アップ・テーブル）８０４に対して色空間変換処理に必要な設定（後述のマトリックス演算の係数、ＬＵＴ８０４のテーブル値等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００７４】
色空間変換部８０３は、受け取った画像データ１画素毎に対して、所定のマトリックス演算を施す。次にマトリックス演算後のデータに対して、ＬＵＴ８０４による変換を行う。これによって、非線形の変換をも行うことができる。当然、スルーのテーブルを設定することにより、実質的にＬＵＴ変換を行わないこともできる。
【００７５】
その後、色空間変換部８０３は色空間変換処理された画像データをバスコントローラ１１３に転送する。色空間変換処理された画像データを受け取ったバスコントローラ１１３は、ＤＲＡＭ１２２もしくはＩ／Ｆ上の各デバイスにデータを転送する。
【００７６】
＜画像二値化部の処理＞
次に、画像二値化部８０５における処理手順を説明する。
【００７７】
Ｉ／Ｆ１５０を介して、ＣＰＵ１１２からバスコントローラ１１３に二値化制御のための設定を行う。この設定によりバスコントローラ１１３は画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００７８】
画像二値化部８０５は、受け取った画像データに対して二値化処理を施す。本実施形態では、二値化の手法としては、画像データを所定の閾値と比較して単純に二値化するものとする。もちろん、ディザ法、誤差拡散法、誤差拡散法を改良したものなど、いずれの手法によっても構わない。
【００７９】
その後、画像二値化部８０５は二値化処理された画像データをバスコントローラ１１３に転送する。
【００８０】
二値化処理された画像データを受け取ったバスコントローラ１１３は、ＤＲＡＭ１２２もしくはＩ／Ｆ上の各デバイスにデータを転送する。
【００８１】
＜スキャナ入力部の処理＞
次に、スキャナ入力部８０６における処理手順を説明する。
【００８２】
Ｉ／Ｆ１５０を介して、ＣＰＵ１１２からバスコントローラ１１３にスキャナ入力制御のための設定を行う。この設定によりバスコントローラ１１３はスキャナ入力部８０６に対して必要な設定（入力処理に応じた各種パラメータ等）を行う。必要な設定を行った後に、再度ＣＰＵ１１２からバスコントローラ１１３に対して画像データ転送の許可を行う。
【００８３】
その後、スキャナ画像処理部１５７から入力される同期信号に同期して画像データがスキャナ入力部８０６に入力される。スキャナ入力部８０６は受け取った画像データを入力バッファとして一旦ＤＲＡＭ１５２に格納する。その後スキャナ入力部はＤＲＡＭ１５２に格納した画像をバスコントローラ１１３に転送する。スキャナ入力画像データを受け取ったバスコントローラ１１３は、ＤＲＡＭ１２２もしくはＩ／Ｆ上の各デバイスにデータを転送する。
【００８４】
＜プリンタ出力部の処理＞
次に、プリンタ出力部８０７における処理手順を説明する。
【００８５】
Ｉ／Ｆ１５０を介して、ＣＰＵ１１２からバスコントローラ１１３にプリンタ出力制御のための設定を行う。この設定によりバスコントローラ１１３はプリンタ出力部８０７に対して必要な設定（出力処理に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００８６】
プリンタ出力部８０７は受け取った画像データを一旦ＤＲＡＭ１５２に格納する。その後プリンタ画像処理部１５３から入力される同期信号に応じてＤＲＡＭ１５２に格納した画像をプリンタ画像処理部１５３に出力する。
【００８７】
＜操作部概要＞
図８は、操作部１８０の構成を概観図である。
【００８８】
ＬＣＤ表示部３００１は、ＬＣＤ上にタッチパネルシートが貼られており、システムの操作画面を表示するとともに、表示してあるキーが押されるとその位置情報をコントローラＣＰＵ１１２に伝える。スタートキー３００２は原稿画像の読取り動作を開始する時などに用いる。スタートキー中央部には、緑と赤の２色ＬＥＤがあり、その色によってスタートキーが使える状態にあるかどうかを示す。ストップキー３００３は稼働中の動作を止める働きをする。ＩＤキー３００４は使用者のユーザＩＤを入力するときに用いる。リセットキー３００５は操作部１８０からの設定を初期化するときに用いる。
【００８９】
＜操作画面＞
図９は、操作部１８０に表示する各画面のうち本実施形態に特徴的な画面であるメイン操作画面を示す図である。
【００９０】
本発明の装置が提供する機能は、コピー、送信/ファックス、ボックス、拡張の４つの大きなカテゴリーに分かれており、これらは操作画面３０１０上の上部に表示される４つのメインタブ、つまり、「コピー」タブ３１１１、「送信/ファックス」タブ３０１２、「ボックス」タブ３０１３、「拡張」３０１４に対応している。これらのメインタブを押すことにより、各カテゴリーの画面への切り替えが行われる。他カテゴリーへの切り替えが許可されない場合は、メインタブの表示色が変わり、メインタブを押しても反応しない。
【００９１】
コピーは、自機が有するスキャナとプリンタ部３００を使用して通常のドキュメント複写を行う機能と、自機が有するスキャナとネットワークで接続されたプリンタ部３００を使用してドキュメントの複写を行う機能（リモートコピー）を含む。
【００９２】
送信は、自機が有するスキャナに置かれたドキュメントを、電子メール、リモートプリンタ、ファックス、ファイル転送（ＦＴＰ）及びデータベースに転送する機能であり、宛先を複数指定することが可能である。
【００９３】
ボックスは、スキャナで読み取った原稿画像を本体に保存したり、保存された画像データをプリント出力することが可能である。
【００９４】
３０１０はシステム状況を表示する画面であり、例えば補助電源を充電しているときに表示する。
【００９５】
＜ヒータ制御と補助電源＞
図１０は、定着部３３５内部のヒータ制御と補助電源の動作を示す図である。
【００９６】
第１ヒータ３８１は、ＡＣ電源３８０から制御手段３８６を介して接続されている。また、充電器３８３がＡＣ電源３８０に接続されている。蓄電ユニット３８４はスイッチ３８７により、充電器３８３と第２ヒータ３８２およびオプション機器３８５に接続されている。ここでスイッチ３８７がＳ１端子側に切り替えられると蓄電ユニット３８４は充電器３８３に接続され、スイッチ３８７がＳ３に切り替えられると蓄電ユニット３８４は第２ヒータに接続される。さらにスイッチ３８７がＳ２端子側に切り替えられると蓄電ユニット３８４はオプション機器３８５に接続される。スイッチ３８７の切り替えはＣＰＵ３８８により制御される。蓄電ユニットは、本字実施例では電気二重層コンデンサを用いている。温度センサ３８９は、定着部３３５内部の定着ローラ付近の温度を測定してＣＰＵ３８８に送信する。ＣＰＵ３８８は、温度センサ３８９からの検知信号に基づいて定着部３８５内の温度が設定温度に維持されるように、制御手段３８６により第１ヒータ３８１への通電を制御するとともに、スイッチ３８７により第２ヒータ３８２への通電を制御する。
【００９７】
待機時（スリープ状態）や通常使用時は、スイッチ３８７がＳ１端子側へ切り替えられ、充電器３８３がＡＣ電源３８０からの交流電源を直流電源に変換して蓄電ユニット３８４に印加することにより、蓄電ユニット３８４を充電する。また待機時から通常使用時に復帰する時は、定着部３８５内の温度を迅速に設定温度に復帰させるために一時的に大量の電力が必要となる。このとき、スイッチ３８７がＳ３端子側に切り替えられ、蓄電ユニット３８４から第２ヒータ３８２に放電されて、第２ヒータ３８２が発熱する。また、通常使用時で、オプション機器３８５を使用する場合は、スイッチ３８７がＳ２端子側に切り替えられ、蓄電ユニット３８４からオプション機器３８５へ電力を供給する。
【００９８】
このように必要に応じて、蓄電ユニット３８４の電力は、第２ヒータ３８２またはオプション機器３８５に供給され、不要な時はＡＣ電源３８０により充電される。
【００９９】
＜コピー画像出力時の基本シーケンス＞
図１１は、本実施例におけるコピー画像出力の手順を示すフローチャートである。なお、図中のS101〜S109は各ステップを示す。
【０１００】
コピー画像を出力する場合、S101では、操作部180上でユーザーが当該コピー画像出力ジョブのコピー設定を行う。コピー設定内容は、部数、用紙サイズ、片面/両面、拡大/縮小率、ソート出力、ステイプル止めの有無等である。
【０１０１】
このときS102において定着部３３５内部の温度センサ３８９により温度を測定し、所定の値以下の場合は、S103において蓄電ユニット３８４から第２ヒータ３８２に放電されて、第２ヒータ３８２が発熱する。定着部３３５内部の温度が所定の値なったら、S104にて蓄電ユニット３８４から第２ヒータ３８２にへの放電を止めて、蓄電ユニット３８４の充電を行う。
【０１０２】
次にS105においてS101で行ったコピー設定のうち、補助電源を必要とするオプション装置を使った機能が含まれているかどうか判断する。本実施例ではフィニッシャ３７０が該当するため、ステープル等が設定されているかどうか判定する。
【０１０３】
補助電源を必要とするオプション装置を使った機能が含まれていない場合は、S106で所定のコピー処理を行う。詳細は後述する。一方、S105で補助電源を必要とするオプション装置を使った機能が含まれている場合は、S106で補助電源である蓄電ユニット３８４に充電された電源容量を確認する。電源容量の確認方法としては、例えば蓄電ユニットの３８４の電圧を測定することにより間接的に充電された電源容量を確認することが出来る。ここで蓄電ユニット３８４が所定の値まで充電されている場合は、S106にてオプション機能を用いた処理を行う。
【０１０４】
また一方で、蓄電ユニット３８４が所定の値まで充電されていない場合は、オプション機能が使用できないため、S106で操作部180上に補助電源の充電が完了するまで処理を保留することを表示し、未処理の保留ジョブとしてS109に進む。
【０１０５】
S109で保留している保留ジョブがある場合、または次のコピー処理が設定されている場合（次ジョブ）はS102で前述の処理を同様に行う。つまり保留ジョブは、補助電源が充電されてから処理されることになる。
【０１０６】
上記実施例では、オプション機能を使用する場合に補助電源が充電中の時は、コピー出力を一度保留していたが、以下のようにオプション機能の設定を禁止にする方法も可能である。オプション機能の設定を操作部180で行う際に設定を禁止し、表示画面上に「補助電源の充電中のためオプション機能は、しばらくお待ち下さい」等の表示を行う。そして補助電源が充電を完了後は、オプション設定を受け付けるようにしてもよい。
【０１０７】
＜コピー画像出力時の詳細シーケンス＞
図１２は、図１１のコピー画像出力の手順を示すフローチャートのうちS106のコピー処理フローの詳細を表すフローチャートである。なお、図中のS201〜S208は各ステップを示す。
【０１０８】
S201では、操作部180上でコピー開始指示を与えると、S202で制御装置110のメインコントローラ111はコネクタを介してリーダー部200を制御し、原稿の画像データの読み込み動作を行う。まず、原稿給送ユニット250は、載置された原稿を１枚ずつプラテンガラス211上へ給送し、その際同時に原稿のサイズを検知する。検知された原稿のサイズに基づいて原稿を露光走査することにより、画像データを読み取るわけである。読み取られた画像データはGraphic Processor151で指定された画像形式で圧縮をしてDRAM122上に記憶される。
【０１０９】
S203では、メインコントローラ111がDRAM122上の画像データを、Graphic Processor151に転送する。
【０１１０】
S204では、Graphic Processor151が、前記コピー設定パラメータに基づいて画像処理を行う。例えば、拡大400%の設定がなされているときには、Graphic Processor151内のモジュールである画像変倍部を用いて主走査方向、副走査方向、双方への変倍処理を行う。画像データの画像処理が完了するとS205へ進む。
【０１１１】
S205では、Graphic Processor151がメインコントローラ111へ画像処理後の画像データを指定された画像形式で圧縮をおこなって転送する。メインコントローラ111は転送されてきた画像データをDRAM122上に記憶する。
【０１１２】
S206では、メインコントローラ111はDRAM122上に記憶された画像データを指定されたファイル形式でファイル化し、ファイル化された画像データをHDコントローラ131を経由してHDドライブ132に転送することで読み込んだ画像データをHDドライブ132に格納する。
【０１１３】
これらの動作はDFユニット250に原稿が存在する限り繰り返し行われる。
【０１１４】
S207では、画像データをプリンタ部300へと転送する。この時、プリントを行う画像データファイルがDRAM122上に存在しない場合はHDドライブ132から画像ファイルを読み込み、DRAM122に格納する。メインコントローラ111はGraphic Processor151，プリンタ画像処理153およびコネクタ155を介して、プリンタ部300を制御しつつ、適切なタイミングでDRAM122上の画像データを、プリンタ部300へと転送する。
【０１１５】
S208では、制御装置110が、プリンタ部300を制御して画像データをプリント出力する。
【０１１６】
［第二実施形態］
前記第1の実施例では、コピー画像出力の処理について説明したが、本実施例ではＰＤＬプリント画像出力について説明する。
【０１１７】
＜PDL画像出力時のシーケンス＞
図１３は、本実施例におけるPDL画像出力の手順を示すフローチャートである。なお、図中のS301〜S316は各ステップを示す。
【０１１８】
PDL画像を出力する場合、S301では、PC401上でユーザーが当該PDL画像出力ジョブのプリント設定を行う。プリント設定内容は、部数、用紙サイズ、片面/両面、ページ出力順序、ソート出力、ステイプル止めの有無等である。
【０１１９】
S302では、PC401上で印刷指示を与え、それと共にPC401上にインストールされているドライバソフトウェアが、印刷対象となるPC401上のコードデータをいわゆるPDLデータに変換して、S301で設定したプリント設定パラメータとともに、本画像入出力装置の制御装置110に、ネットワーク400を介してPDLデータを転送する。
【０１２０】
このときS303において定着部３３５内部の温度センサ３８９により温度を測定し、所定の値以下の場合は、S304において蓄電ユニット３８４から第２ヒータ３８２に放電されて、第２ヒータ３８２が発熱する。定着部３３５内部の温度が所定の値なったら、S305にて蓄電ユニット３８４から第２ヒータ３８２にへの放電を止めて、蓄電ユニット３８４の充電を行う。
【０１２１】
S306では、制御装置110のメインコントローラ111のCPU112が、コネクタ126およびNetworkController125を介して転送されたPDLデータを前記プリント設定パラメータに基づいて、画像データに展開（ラスタライズ）する。画像データの展開は、DRAM122上に行われる。
【０１２２】
S307では、メインコントローラ111がDRAM122上に展開された画像データを、Graphic Processor151に転送する。
【０１２３】
S308では、Graphic Processor151において必要な画像処理を行った後、S309へ進む。S309にてメインコントローラ111へ画像処理後の画像データをし、メインコントローラ111は転送されてきた画像データをDRAM122上に記憶する。
【０１２４】
次にS310において、補助電源である蓄電ユニット３８４に充電された電源容量を確認する。
【０１２５】
ここで蓄電ユニット３８４が所定の値まで充電されている場合は、S311にて保留しているプリントジョブが残っているかどうか確認する。保留ジョブが残っていない場合、はS312のプリント処理を行う。S311にて保留ジョブが残っている場合は、現在処理中のジョブを一時中断して、保留中のジョブを優先してS312にてプリント処理を行う。
【０１２６】
一方、S310で蓄電ユニット３８４が所定の値まで充電されていない場合は、S314にて処理中のジョブに補助電源を必要とするオプション装置を使った機能が含まれているかどうか確認し、オプション機能が無い場合にはS312でプリント処理を行い、オプション機能が含まれている場合は、S315で未処理の保留ジョブとしてプリント処理は行わなず、S316へ進む。
【０１２７】
S312のプリント処理では、メインコントローラ111はGraphic Processor151、プリンタ画像処理153およびコネクタ155を介して、プリンタ部300を制御しつつ、適切なタイミングでDRAM122上の画像データを、プリンタ部300へと転送する。さらに、制御装置110が、プリンタ部300を制御して画像データをプリント出力する。画像データの転送が完了すると、すなわち当該PDLジョブが終了すると、S316へ進む。
【０１２８】
S316で保留している保留ジョブがある場合、または次のプリントジョブがある場合はS30１で前述の処理を同様に行う。このように保留ジョブは、補助電源が充電されるまでは、他のジョブが割り込む形となり、補助電源が充電された時に処理されることになる。
【０１２９】
［第三実施形態］
前記実施例では、特定のオプション機能を使用する場合に、補助電源を用いていたが、複数の処理を同時に行う場合に、補助電源を用いることも可能である。
【０１３０】
例えば本実施例の画像形成装置において、コピー、プリント、ＦＡＸ、ネットワーク送信・ネットワーク受信等の複数の機能を行うことが可能であるが、複数の処理を同時に行う場合に定格電力である１５００Ｗを超えてしまうような場合に、補助電源を使用することが考えられる。このとき、補助電源が放電されて、十分な電力を供給できない場合は、一時的に複数の同時処理を止めて、いづれか１つの処理を行う。さらに、補助電源が充電されれば、再び補助電源を用いた複数の処理を同時に行うことにより、定格電力１５００Ｗ以内で同時動作を行うことが可能となる。
【０１３１】
［その他の実施形態］
なお、本発明は、前述した各実施の形態の機能を実現するソフトウェアのプログラムコードを記憶した記憶媒体を、システムあるいは装置に供給し、そのシステムあるいは装置のコンピュータ（又はＣＰＵやＭＰＵ）が記憶媒体に格納されたプログラムコードを読み出し実行することによっても、達成されることは言うまでもない。
【０１３２】
この場合、記憶媒体から読み出されたプログラムコード自体が本発明の新規な機能を実現することになり、そのプログラムコードを記憶した記憶媒体は本発明を構成することになる。
【０１３３】
プログラムコードを供給するための記憶媒体としては、例えば、フレキシブルディスク、ハードディスク、光磁気ディスク、光ディスク、ＣＤ−ＲＯＭ、ＣＤ−Ｒ、磁気テープ不揮発性のメモリカード、ＲＯＭなどを用いることができる。
【０１３４】
また、コンピュータが読み出したプログラムコードを実行することによって、前述した実施の形態の機能が実現される他、そのプログラムコードの指示に基づき、コンピュータ上で稼動しているＯＳなどが実際の処理の一部又は全部を行い、その処理によっても前述した実施の形態の機能が実現され得る。
【０１３５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によっても前述した実施の形態の機能が実現され得る。
【０１３６】
本発明は、前述した実施の形態の機能を実現するソフトウェアのプログラムコードを記録した記憶媒体からそのプログラムをパソコン通信など通信ラインを介して要求者にそのプログラムを配信する場合にも適用できることは言うまでもない。
【図面の簡単な説明】
【０１３７】
【図１】本発明の実施形態に係る画像形成装置の全体構成を示すブロック図である。
【図２】リーダー部２００及びプリンタ部３００のハード構成を示す概観図である。
【図３】リーダー画像処理部２２２の詳細な構成を示すブロック図である。
【図４】コントローラ部１１０の構成を示すブロック図である。
【図５】スキャナ画像処理部１５７を担う部分の詳細な構成を示すブロック図である。
【図６】プリンタ画像処理部１５３の詳細な構成を示すブロック図である。
【図７】グラフィック・プロセッサ１５１の詳細な構成を示すブロック図である。
【図８】操作部１８０の構成を概観図である。
【図９】基本操作画面を示す図である。
【図１０】定着部３３５内部のヒータ制御と補助電源の動作を示す図である。
【図１１】コピー動作のシーケンスを示すフローチャートである。
【図１２】コピー動作の基本シーケンスを示すフローチャートである。
【図１３】第２の実施形態におけるプリントのシーケンスを示すフローチャートである。
【符号の説明】
【０１３８】
１００  画像入出力装置
２００  リーダー部
２１０  スキャナユニット
２５０  原稿給紙ユニット
３００  プリンタ部
４０１，４０２  ホストコンピュータ（ＰＣ）
４１０  データベースサーバ
【図１】
2007025255.tif 000003
【図２】
2007025255.tif 000004
【図３】
2007025255.tif 000005
【図４】
2007025255.tif 000006
【図５】
2007025255.tif 000007
【図６】
2007025255.tif 000008
【図７】
2007025255.tif 000009
【図８】
2007025255.tif 000010
【図９】
2007025255.tif 000011
【図１０】
2007025255.tif 000012
【図１１】
2007025255.tif 000013
【図１２】
2007025255.tif 000014
【図１３】
2007025255.tif 000015